(57)【要約】  【課題】  撮影画像を提示するときに撮影時の状況も併せて提示する。  【解決手段】  撮影装置装置２０により撮影時にイベント識別子発信装置４０からイベント識別子を受信して記憶する。クライアントコンピュータ５１は撮影装置２０から撮影情報として撮影画像の他にイベント識別子を受け取る。クライアントコンピュータ５１はイベント識別子を用いてイベント情報管理サーバ５０から当該撮影画像の状況を記述するイベント情報を取得し、撮影画像とともに表示する。【選択図】  図１
2005277800.tif 000002
【特許請求の範囲】
【請求項１】
被写体に関連して設けられ上記被写体に関連する状況を表示する状況識別子を送信する状況識別子送信装置と、
上記状況識別子に関連付けて上記状況を記述する状況情報を管理する状況情報管理サーバ装置と、
上記被写体を撮影するとともに、撮影に関連して、上記状況識別子送信装置から送信される状況識別子を受信して記録する撮影装置と、
上記撮影装置により記録された状況識別子を用いて上記状況情報管理サーバ装置から上記状況情報を取得し上記撮影装置により撮影した撮影画像とともに管理する情報端末とを有することを特徴とする状況情報管理システム。
【請求項２】
上記撮影装置は音声やテキストの補助的な情報を入力する手段を有する請求項１記載の状況情報管理システム。
【請求項３】
上記撮影装置は上記情報端末をかねる請求項１または２記載の状況情報管理システム。
【請求項４】
上記状況は会議、展示会等のイベント内容である請求項１、２または３記載の状況情報管理システム。
【請求項５】
上記状況は、商品の展示である請求項１、２または３記載の状況情報管理システム。
【請求項６】
上記状況識別子送信装置は、上記状況識別子に加えて状況情報の少なくとも一部を送信し、上記撮影装置は上記状況識別子に加えて状況情報の少なくとも一部を記録する請求項１、２、３、４または５記載の状況情報管理システム。
【請求項７】
状況識別子に関連付けて状況を記述する状況情報を管理する状況情報管理サーバ装置とともに用いられ、被写体に関連して設けられ上記被写体に関連する状況を表示する状況識別子を送信する状況識別子送信装置。
【請求項８】
状況識別子に関連付けて状況を記述する状況情報を管理する状況情報管理サーバ装置と、被写体に関連して設けられ上記被写体に関連する状況を表示する状況識別子を送信する状況識別子送信装置とともに用いられる撮影装置において、
上記被写体を撮影する手段と、
撮影に関連して、上記状況識別子送信装置から送信される状況識別子を受信して記録する状況識別子記録手段とを有することを特徴とする撮影装置。
【請求項９】
状況識別子に関連付けて状況を記述する状況情報を管理する状況情報管理サーバ装置と、被写体に関連して設けられ上記被写体に関連する状況を表示する状況識別子を送信する状況識別子送信装置とともに用いられる撮影装置において、
上記被写体を撮影する手段と、
撮影に関連して、上記状況識別子送信装置から送信される状況識別子を受信して記録する状況識別子記録手段と、
上記状況識別子記録手段により記録された状況識別子を用いて上記状況情報管理サーバ装置から上記状況情報を取得し上記撮影手段により撮影した撮影画像とともに表示する表示手段とを有することを特徴とする撮影装置。
【請求項１０】
状況識別子送信装置により被写体に関連して設けられ上記被写体に関連する状況を表示する状況識別子を送信するステップと、
上記状況識別子に関連付けて上記状況を記述する状況情報を管理する状況情報管理サーバ装置と、
撮影装置により、上記被写体を撮影するとともに、撮影に関連して、上記状況識別子送信装置から送信される状況識別子を受信して記録するステップと、
情報端末により、上記状況識別子に関連付けて上記状況を記述する状況情報を管理する状況情報管理サーバ装置から、上記撮影装置により記録された状況識別子を用いて、上記状況情報を取得し、上記撮影装置により撮影した撮影画像とともに表示するステップとを有することを特徴とする状況情報管理方法。
【発明の詳細な説明】
【技術分野】
【０００１】
この発明は、撮影画像を見るときに撮影時の状況を記述する情報を提示できる状況情報管理技術に関し、とくに、動画や静止画の撮影を行なって観察を行なう際に、その撮影時の状況をあわせて管理して観察支援を行なえるようにしたものである。
【背景技術】
【０００２】
近年、商品開発の方向性の検討材料として、潜在的なニーズや技術シーズに関する情報を収集するため、ユーザの行動や新しい技術を「観察（Ｏｂｓｅｒｖａｔｉｏｎ）」する手法が多く用いられている。現在、これら観察には、デジタル・ビデオやデジタル・カメラなどのデジタル映像機器が主に使われている。撮影されたシーンは、検討会議において撮影者が状況を説明しながらグループで視聴し討議する。この際、映像や音声のデジタル化は実現されているが、「どこで、誰が、誰の、何を、何故」撮影したかというコンテキストに関わる情報「メタデータ」の記録は行なわれておらず、これらは主に口頭で情報を追加することにより補われていた。
【０００３】
撮影画像を再生する際に簡易に状況に関する情報も提供できるようにすることが望まれる。
【０００４】
なお、この発明と関連する特許文献としては以下のものがある。
【０００５】
特許文献１においては、撮影位置を示す位置情報を映像情報と相互に不可分の関係をもって記録媒体に記録し、その記録された映像情報を再生するに際して、映像情報とともに位置情報を再生し、再生した位置情報を地名、または地図上の点および有限の領域のいずれかにより表示させている。しかしながら、特許文献１では、撮影される対象物や環境に関する総合的な状況や、撮影者の意図や解釈を同時に記録することはなされていない。
【０００６】
また、特許文献２においては、場面に関する情報を入力項目とする入力フォームを画面上に表示させる表示制御部と、入力フォームを通じて入力された情報に、対応場面を特定する情報を関連付けて出力する番組付加データ生成部とを備えて、番組付加データを作成するようにしている。しかしながら、特許文献２では、番組付加情報は入力フォームを用いて入力する必要があり、入力が煩雑である。
【０００７】
また、特許文献３においては、撮像装置と、撮像時における撮像装置の位置情報を検出する手段と、撮像装置に対する被写体の方位及び距離を検出する手段とを備え、工事現場を撮影する際に、被写体の位置情報をその画像データとともに記憶するようにしている。しかしながら特許文献３では、撮影される対象物や環境に関する総合的な状況や、撮影者の意図や解釈を同時に記録することはなされていない。
【特許文献１】特開２００１−１１１９４２公報
【特許文献２】特開２００２−１５２６９４公報
【特許文献３】特開平８−８８８２３号公報
【発明の開示】
【発明が解決しようとする課題】
【０００８】
この発明は、以上の事情を考慮してなされたものであり、撮影画像を再生する際に簡易に状況に関する情報も提示できる状況情報管理技術を提供することを目的としている。
【課題を解決するための手段】
【０００９】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【００１０】
すなわち、この発明の一側面によれば、上述の目的を達成するために、状況情報管理システムを：被写体に関連して設けられ上記被写体に関連する状況を表示する状況識別子を送信する状況識別子送信装置と；上記状況識別子に関連付けて上記状況を記述する状況情報を管理する状況情報管理サーバ装置と；上記被写体を撮影するとともに、撮影に関連して、上記状況識別子送信装置から送信される状況識別子を受信して記録する撮影装置と；上記撮影装置により記録された状況識別子を用いて上記状況情報管理サーバ装置から上記状況情報を取得し上記撮影装置により撮影した撮影画像とともに管理する情報端末とを含んで構成している。
【００１１】
この構成においては、被写体の撮影に関連して状況識別子を記録するだけで、撮影画像とともに、状況情報を提示でき、その場で補助的な説明をメモしておいたり、補助的な説明を準備したりする必要が少なくなる。また、ヒントとなる被写体等を撮影しておき、その画像から状況情報を引き出して所望の情報を取得することもできる。
【００１２】
この構成において、上記撮影装置は音声やテキストの補助的な情報を入力する手段を有していてもよい。このようにすると個人的な感想等を入力することが可能になり、上述の状況情報を補完することができる。
【００１３】
また、上記撮影装置は上記情報端末をかねてもよい。
【００１４】
上記状況は、典型的には、５Ｗ１Ｈ（誰が、いつ、どこで、何を、なぜ、どのように）の情報であり、より具体的には、会議、展示会等のイベント内容や、展示または広告される商品の商品説明である。
【００１５】
上記状況識別子送信装置は、上記状況識別子に加えて状況情報の少なくとも一部を送信し、上記撮影装置は上記状況識別子に加えて状況情報の少なくとも一部を記録するようにしてもよい。このようにすれば、サーバにアクセスしなくても状況情報の一部を取得することができる。必要な場合には、さらにサーバにアクセスすれば良い。
【００１６】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００１７】
この発明の上述の側面および他の側面は特許請求の範囲に記載され以下実施例を用いて詳述される。
【発明の効果】
【００１８】
この発明によれば、観察によって撮影された、映像の情報のほかに、どのような状況において、撮影がされたか、どのような箇所が注目に値するか、その意味は何か、といったことを総合的に「撮影」「管理」することができ、撮影された情報を、後日、効果的に解釈・吟味できる。
【発明を実施するための最良の形態】
【００１９】
以下、この発明の実施例について説明する。
【００２０】
図１は、この発明をイベント情報管理システムに適用した実施例を模式的に説明するものである。なおイベント情報管理システムはイベント、例えば、会議、展示会等に着目してその場の状況の情報をイベントの情報として管理するものであるが、状況はイベントに関連するものもあるし関連しないものもある。例えば、街角や公共機関、交通機関等においてはとくにイベントが催されていない場合でも状況を定義することが可能である。また商品に関しては商品説明を状況説明として用いることができる。以下ではイベントに着目して説明していくが、以下の説明は、基本的には、イベントを広く状況と置き換えても妥当する。
【００２１】
図１において、イベント情報管理システム１００は、イベント情報管理サーバ５０、クライアントコンピュータ５１、プロジェクタ５２、撮影装置２０、イベント識別子発信装置４０等を含んで構成されている。
【００２２】
イベント情報管理サーバ５０やクライアントコンピュータ５１はネットワーク５４を介して相互接続可能になっている。イベント情報管理サーバ５０と撮影装置２０とイベント識別子発信装置４０がイベント情報管理システム１００の要部となっている。
【００２３】
観察者１０は撮影装置２０を用いて被写体３０を撮影している。被写体３０の近傍にはイベント識別子発信装置４０が設けられている。被写体３０は、展示会における商品や、会議における投射画像等である。イベント識別子発信装置４０は、イベント情報管理サーバ５０により管理されているイベント情報の識別子であるイベント識別子を送信するものである。撮影装置２０は動画または静止画を撮影するものであり、さらに、イベント識別子受信部２０３（図２参照）を具備して、イベント識別子発信装置４０から送信されてくるイベント識別子を受信して記録できるようになっている。イベント識別子の送受信は、微弱電波、赤外線等で伝送され、ブロードキャストやポーリング等、任意の態様で行なわれる。
【００２４】
クライアントコンピュータ５１は、撮影装置２０により撮影された画像や、撮影装置２０のイベント識別子受信部２０３（図２参照）により受信したイベント識別子を撮影装置から取得する。撮影装置２０が、コンピュータの機能を有し、クライアントコンピュータ５１として動作しても良い。クライアントコンピュータ５１はイベント識別子を用いてイベント情報管理サーバ５０からイベント情報を取得し、このイベント情報の少なくとも一部と撮影画像をプロジェクタ５２等を用いて表示する。もちろん、クライアントコンピュータ５１の表示部や撮影装置２０の表示部にイベント情報および撮影画像を表示しても良い。
【００２５】
なおスピーカ５３は、撮影装置２０により入力した補助的な音声情報（状況を説明するもの）等を出力するものである。
【００２６】
図２は、撮影装置２０およびイベント識別子発信装置４０の構成例を示すものであり、この図において、イベント識別子発信装置４０はイベント識別子記憶部４０１およびイベント識別子送信部４０２を含んで構成されている。イベント識別子記憶部４０１に記憶されているイベント識別子はイベントを一意に特定できればどのようなものでもよく、例えば、ＵＲＬ（ユニフォームリソールロケータ）、ＧＵＩＤ（グローバリユニークアイデンティファイヤ）、ＵＵＩＤ（ユニバーサルユニークアイデンティファイヤ）等を用いることができる。イベント識別子発信装置４０としては上述のとおり種々のものを採用でき、またＲＦＩＤタグ等を用いても良い。
【００２７】
撮影装置２０は、操作部２０１、撮影部２０２、イベント識別子受信部２０３、補助入力部２０４、撮影情報記憶部２０５等を含んで構成されている。操作部２０１は典型的にはシャッターボタンであり、被写体の撮像指示を行うものである。操作部２０１が操作されたときに撮影部２０２が撮影を行い、また、イベント識別子受信部２０３がイベント識別子を受信する。撮影とイベント識別子の受信とも個別に行なうようにしても良い。補助入力部２０４は音声やテキストを入力するものであり、イベントに関する感想等の追加情報を音声やテキストで入力する。撮影情報のレコードは例えば図３に示すようなものであり、撮影識別子２１１、イベント識別子２１２、画像データ２１３、補助データ２１４等を含んでおり、撮影情報記憶部２０５に記録される。
【００２８】
図４はクライアントコンピュータ５１を機能ブロックに分けて説明するものであり、各機能ブロックは基本的にはプログラムのプロセス等により構成される。先に述べたように撮影装置２０が十分なコンピュータリソースを持つ場合には撮影装置２０自体をクライアントコンピュータ５１として用いることができる。
【００２９】
図４において、クライアントコンピュータ５１は、撮影情報記憶部５１１、イベント情報取得部５１２、表示データ合成部５１３、表示部５１４等を含んで構成されている。図１に示すようにプロジェクタ５２等の外部表示装置に表示データを供給して表示を行なわせても良い。
【００３０】
クライアントコンピュータ５１の撮影情報記憶部５１１には撮影装置２０の撮影情報記憶部２０５から撮影情報が適宜転送される。撮影情報の転送には任意の通信インタフェースを用いることができ、また、着脱自在の記録媒体を用い、撮影装置２０から抜き取った記録媒体をクライアントコンピュータ５１に装着しても良い。撮影情報は、上述のとおり、撮影識別子２１１、イベント識別子２１２、画像データ２１３、補助データ２１４を含み、このうちのイベント識別子２１２をイベント情報取得部５１２に転送する。イベント情報取得部５１２はイベント識別子２１２を用いてイベント情報管理サーバ５０からイベント情報を取得する。イベント情報は例えば図５に示すようにイベントタイプ識別子５０１、時刻５０２、イベント識別子５０３、セッションデータ５０４等を含んでなり、イベント識別子を指定して取得することができる。イベントタイプ識別子は会議、展示、その他等の種々のイベントタイプを区別するものである。イベントタイプによりセッション（中身）の構成が異なる。イベントタイプによりイベント情報を制御することができる。例えば、会議のイベントタイプのイベント情報は図６に示すようなものであり、セッションとしては、会議の場所、開始時刻、サーバ等拠点との接続、参加者、表示文書、印刷文書等が記述されている。イベント情報は具体的にはタイプ別の構造体として管理される。イベント識別子が例えばＵＲＬの場合にはＨＴＴＰプロトコルによりイベント情報を取り出し、さらにイベント情報の文書のアンカータグにより参加者、文書等の情報をリンクをたどって取得できる。イベント情報は基本的には上述のとおり５Ｗ１Ｈをベースにするが、イベントの内容、目的、タイプに応じて変わることはもちろんである。
【００３１】
図７は、表示部５１４や外部表示装置により表示される内容を模式的に示すものであり、撮影画像本体６０１の他にイベント内容を表すイベント内容表示欄６０２が設けられている。イベント内容表示欄６０２に表示内容によりイベントの概要（時刻、参加者、利用文書、アクセス先等）を知ることができる。そしてイベント内容のリンク情報を利用して文書リスト（例えば提示した文書のリスト）や個々の文書内容を閲覧することもできる。
【００３２】
この実施例によれば、撮影画像とともにイベント内容が表示されるので、撮影時の状況を即座に提示・把握できる。
【００３３】
なお、この発明は上述の実施例に限定されるものではなくその趣旨を逸脱しない範囲で種々変更が可能である。例えば、図８に示すように、クライアントコンピュータ５１に編集部５１５および編集データ記憶部５１６を設け、単に、イベント情報を提示するだけでなく、イベント情報に動的に編集を加えて表示しても良い。例えば、表示したい部分や変更したい部分を編集部５１５で編集指定し変換用データとして編集データ記憶部５１６に記憶し、この変換用データを用いてイベント情報取得部５１２が取得したイベント情報を変換して表示データ合成部５１３に供給して編集後のイベント情報を表示させることができる。
【００３４】
また上述の実施例では、イベント識別子を撮像装置で受信記録するようにしたが、イベント識別子とともに、あるいはイベント識別子に代えて、イベント情報の一部をイベント識別子発信装置から送信して撮像装置で受信記憶するようにしても良い。
【００３５】
また、上述実施例では、会議等のイベントに関連して説明を行なったが、陳列されている商品、広告、町中の建造物に、個々にあるいは集合的に状況識別子を割り当て撮影画像にこの状況識別子を関連付け、撮影画像を見ながら状況情報、例えば、商品の内容、広告の詳細、広告対象商品の内容、建造物等の紹介、行政区画の説明、案内等を所轄の情報管理サーバから取り出すようにしても良い。
【図面の簡単な説明】
【００３６】
【図１】この発明をイベント情報管理システムに適用した実施例の構成を説明する図である。
【図２】上述実施例の撮影装置およびイベント識別子発信装置の構成例を説明する図である。
【図３】上述撮影装置で取得した撮影情報を構成を説明する図である。
【図４】上述実施例のクライアントコンピュータで実現される機能ブロックを説明する図である。
【図５】上述実施例のイベント情報を説明する図である。
【図６】上述実施例の会議のイベントに関するイベント情報の構成例を説明する図である。
【図７】上述実施例における表示例を説明する図である。
【図８】上述実施例の変形例を説明する図である。
【符号の説明】
【００３７】
１０      観察者
２０      撮影装置
３０      被写体
４０      イベント識別子発信装置
５０      イベント情報管理サーバ
５１      クライアントコンピュータ
５２      プロジェクタ
５３      スピーカ
５４      ネットワーク
１００      イベント情報管理システム
２０１      操作部
２０２      撮影部
２０３      イベント識別子受信部
２０４      補助入力部
２０５      撮影情報記憶部
２１１      撮影識別子
２１２      イベント識別子
２１３      画像データ
２１４      補助データ
４０１      イベント識別子記憶部
４０２      イベント識別子送信部
５０１      イベントタイプ識別子
５０２      時刻
５０３      イベント識別子
５０４      セッションデータ
５１１      撮影情報記憶部
５１２      イベント情報取得部
５１３      表示データ合成部
５１４      表示部
５１５      編集部
５１６      編集データ記憶部
６０１      撮影画像本体
６０２      イベント内容表示欄
【図１】
2005277800.tif 000003
【図２】
2005277800.tif 000004
【図３】
2005277800.tif 000005
【図４】
2005277800.tif 000006
【図５】
2005277800.tif 000007
【図６】
2005277800.tif 000008
【図７】
2005277800.tif 000009
【図８】
2005277800.tif 000010